(57)【要約】      （修正有）【課題】簡便に構成できて、設置が容易となり、また、汚れに対するメンテナンスを著しく軽減できるレベル安定装置を提供する。【解決手段】エアＡをエア吐出口２５ｂから吐出するエアポンプ２５と、吐出口２５ｂと接続され、先端開口３４を、貯留槽１内の水２を管理するレベルＨに、配置させるエア管路３０と、先端開口３４を水２に塞がれたとした所定圧力値以上のとき、ｂ接点からａ接点に切り替える自動復帰タイプの接点部を有した圧力スイッチと、リレー回路４５と、を備える。リレー回路は、圧力スイッチの接点部のｂ接点での通電時、エアポンプの作動を維持して、リレーコイルへの通電を維持し、圧力スイッチの接点部のａ接点への切替時、エアポンプの作動を維持して、リレーコイルへの通電を遮断する。リレーコイルの通電時には、リレー接点が、充填機構１０の電磁弁１２を開弁させる。【選択図】図１
0003179722.tif 000002
【実用新案登録請求の範囲】
【請求項１】
貯留槽に貯留された流体の減少時に、前記流体を前記貯留槽に充填する充填機構を作動可能として、前記貯留槽内での前記流体のレベルを安定させるレベル安定装置であって、
装置本体が、
作動時に、エア吸引口から吸引したエアをエア吐出口から吐出するエアポンプと、
該エア吐出口と接続されて、先端開口を、前記装置本体から離して、前記貯留槽に貯留される前記流体の管理するレベルに、配置させるエア管路と、
該エア管路に連結されて、前記エア管路内の背圧が、前記エアポンプ作動時における前記先端開口を前記流体によって塞がれたとした所定圧力値以上のとき、ｂ接点からａ接点に切り替える自動復帰タイプの接点部を有した圧力スイッチと、
前記エアポンプを作動させるための外部電源に接続される電源コードに連なって、該電源コードからの電流を前記エアポンプに通電可能な始動スイッチ、前記圧力スイッチの接点部、及び、リレーコイル、を設けてなるリレー回路と、
を備え、
前記リレー回路が、
前記圧力スイッチの接点部における所定圧力値未満のｂ接点での通電時、前記始動スイッチのオン操作による前記エアポンプの作動を維持させた状態として、前記リレーコイルへの通電を維持し、
前記圧力スイッチの接点部における前記所定圧力値以上のａ接点への切替時、前記始動スイッチのオン操作による前記エアポンプの作動を維持させた状態として、前記リレーコイルへの通電を遮断する構成とし、
前記リレーコイルの通電時、リレー接点が、前記充填機構を作動させる構成としていることを特徴とするレベル安定装置。
【請求項２】
前記エア管路に第２圧力スイッチが連結され、
該第２圧力スイッチが、
前記エアポンプ作動時における前記エア管路の先端開口の開口状態での前記エア管路の作動最小内圧値未満の時、ｂ接点からａ接点に切り替える自動復帰タイプの接点部を有した構成とするとともに、
ｂ接点での通電時、前記始動スイッチのオン操作による前記エアポンプの作動を維持させた状態として、前記リレーコイルへの通電を維持し、
ａ接点への切替時、前記始動スイッチのオン操作による前記エアポンプの作動を維持させた状態として、前記リレーコイルへの通電を遮断し、かつ、報知具を作動させるように、前記リレー回路に配設されていることを特徴とする請求項１に記載のレベル安定装置。
【請求項３】
前記エアポンプのエア吸引口にフィルタが配設されていることを特徴とする請求項１若しくは請求項２に記載のレベル安定装置。
【請求項４】
前記貯留槽に対する前記流体の充填量を過大とする所定時間以上の前記リレーコイルへの通電を防止可能に、前記始動スイッチのオン操作による前記エアポンプの作動を維持させた状態として、前記リレーコイルへの通電を遮断し、かつ、報知具を作動させるように、タイマと該タイマのリレー接点とが、前記リレー回路に配設されていることを特徴とする請求項１乃至請求項３のいずれか１項に記載のレベル安定装置。
【考案の詳細な説明】
【技術分野】
【０００１】
本考案は、水洗式塗装ブースの水位等を一定に維持するレベル安定装置に関し、特に、簡便に構成できて、設置が容易となり、また、汚れに対するメンテナンスを著しく軽減できるレベル安定装置に関する。
【背景技術】
【０００２】
従来のレベル安定装置では、例えば、インキパン内のインキの液面を一定にするように、コンプレッサーからのエアを、先端を液面に到達させたノズルに流し、圧力センサが、エア流路のノズル側の背圧とコンプレッサーからの供給圧力との差を検出するものがあった（例えば、特許文献１参照）。そして、この装置では、ノズル先端がインキ液面に到達していなければ、圧力センサが、低い背圧を検知することから、供給圧力との差が少なく、インキパンへインキを充填するポンプ等の充填機構を作動させ、また、ノズル先端がインキ液面に到達していれば、圧力センサが、高い背圧を検知することから、供給圧力との差が所定値となって、ポンプ等の充填機構の作動を停止させていた。
【先行技術文献】
【特許文献】
【０００３】
【特許文献１】特開２００４−０６１４０８号公報
【考案の概要】
【考案が解決しようとする課題】
【０００４】
しかし、従来のレベル安定装置では、コンプレッサーからのエアを利用することとなるが、通常、この種のエアは、工場の敷地内に流れる工場エアを利用しており、工場の稼動中である昼間は、エアを入手し易いが、稼働の無い夜間では、エアの供給が停止されてしまう。そのため、この種のレベル安定装置では、夜間にエアの供給が停止され、ノズルの先端開口内に、インク等の管理する流体が進入して付着し、さらに、固化されて堆積する事態を招く。そして、甚だしい場合には、堆積物が先端開口を塞いで、正確に背圧を測定できなくなることから、清掃作業を頻繁に行う必要が生ずる。
【０００５】
また、使用する圧力センサも、ひずみゲージ等を使用して圧力に応じた電気信号を発する物が使用されて、高価であり、充填機構を作動させる制御回路を簡便に構成する点に、課題があった。
【０００６】
本考案は、上記の課題を解決するもので、簡便に構成できて、設置が容易となり、また、汚れに対するメンテナンスを著しく軽減できるレベル安定装置を提供することを目的とする。
【課題を解決するための手段】
【０００７】
本考案に係るレベル安定装置は、貯留槽に貯留された流体の減少時に、前記流体を前記貯留槽に充填する充填機構を作動可能として、前記貯留槽内での前記流体のレベルを安定させるレベル安定装置であって、
装置本体が、
作動時に、エア吸引口から吸引したエアをエア吐出口から吐出するエアポンプと、
該エア吐出口と接続されて、先端開口を、前記装置本体から離して、前記貯留槽に貯留される前記流体の管理するレベルに、配置させるエア管路と、
該エア管路に連結されて、前記エア管路内の背圧が、前記エアポンプ作動時における前記先端開口を前記流体によって塞がれたとした所定圧力値以上のとき、ｂ接点からａ接点に切り替える自動復帰タイプの接点部を有した圧力スイッチと、
前記エアポンプを作動させるための外部電源に接続される電源コードに連なって、該電源コードからの電流を前記エアポンプに通電可能な始動スイッチ、前記圧力スイッチの接点部、及び、リレーコイル、を設けてなるリレー回路と、
を備え、
前記リレー回路が、
前記圧力スイッチの接点部における所定圧力値未満のｂ接点での通電時、前記始動スイッチのオン操作による前記エアポンプの作動を維持させた状態として、前記リレーコイルへの通電を維持し、
前記圧力スイッチの接点部における前記所定圧力値以上のａ接点への切替時、前記始動スイッチのオン操作による前記エアポンプの作動を維持させた状態として、前記リレーコイルへの通電を遮断する構成とし、
前記リレーコイルの通電時、リレー接点が、前記充填機構を作動させる構成としていることを特徴とする。
【０００８】
本考案に係るレベル安定装置では、まず、エア管路の先端開口を、装置本体から離して、貯留槽に貯留される流体の管理するレベルに、配置させ、また、電源コードを所定の外部電源のコンセント等に差し込み、さらに、リレー接点を、充填機構の作動スイッチとするように、配設する。そして、始動スイッチをオン操作する。すると、エアポンプが、エア吸引口から吸込んだエアを、エア吐出口から吐出して、エア管路に供給する。
【０００９】
そして、貯留槽内の流体が、所定のレベルに到達していなければ、エア管路の先端開口が大気中に開放されて、エア管路内の背圧が所定値未満であるため、圧力スイッチの接点部がｂ接点の通電状態となって、始動スイッチのオン操作によるエアポンプの作動を維持させた状態として、リレーコイルへの通電を維持する。そのため、リレーコイルのリレー接点により、充填機構の作動スイッチがオンされて、貯留槽内へ流体が充填される。
【００１０】
その後、貯留槽内の流体が所定のレベルとなれば、エア管路の先端開口が流体に塞がれ、エア管路内の背圧が所定圧力値以上となるため、圧力スイッチの接点部がａ接点に切り替えられ、始動スイッチのオン操作によるエアポンプの作動を維持させた状態として、リレーコイルへの通電を遮断し、リレー接点、すなわち、貯留槽へ流体を充填する充填機構の作動スイッチがオフされ、貯留槽内への流体の充填が停止される。
【００１１】
その後、貯留槽内の流体が消費されて、貯留槽内の流体が所定のレベル以下となれば、エア管路の先端開口が大気に開放されて、エア管路内の背圧が所定値未満となることから、圧力スイッチの接点部が、ａ接点からｂ接点に復帰し、エアポンプの作動を維持させた状態として、リレーコイルへの通電を開始し、貯留槽へ流体を充填する充填機構の作動スイッチがオンされ、貯留槽内へ流体が所定のレベルまで充填され、その際、圧力スイッチの接点部の切替により、充填機構の作動スイッチがオフされる。
【００１２】
本考案のレベル安定装置では、以上のように、エア管路の背圧に応じた圧力スイッチの接点部の切替や復帰により、貯留槽内の流体を所定のレベルに維持することができる。
【００１３】
そして、本考案のレベル安定装置では、始動スイッチをオンすれば、エアポンプが作動し続けることから（換言すれば、エア管路の先端開口から掃気エア若しくはパージエアが吐出し続けることから）、不用意に流体がエア管路内に流入せず、固化した流体の堆積物によるエア管路の先端開口の閉塞を防止できるため、メンテナンスが容易となる。
【００１４】
また、本考案のレベル安定装置では、エア管路の背圧の変化の検出に、接点を切り替える自動復帰タイプの圧力スイッチを利用しており、このような圧力スイッチはリレー回路に組み込み易く、充填機構の作動・停止を含めた貯留槽内の流体のレベル管理を、簡便に行うことができる。
【００１５】
さらに、本考案のレベル安定装置では、エア管路へのエアの供給に、外部電源からの電流によって作動するエアポンプを利用しており、別途、工場エアを利用するものでない。そして、エアポンプや圧力スイッチ、あるいは、電源コードに連なる始動スイッチや圧力スイッチの接点部を組み込んだリレー回路を、ケース等に配設するだけで、装置本体自体を構成できて、持ち運びに便利となる。さらに、このように構成されたレベル安定装置では、流体のレベルを管理する貯留槽側に、エア管路の先端開口だけを延ばして設置し、また、リレー接点を所定の充填機構の作動用配線に接続させるだけで、装置本体を貯留槽や充填機構から離した外部電源のコンセント近傍に配置するだけで、容易に、設置することができる。
【００１６】
したがって、本考案に係るレベル安定装置では、簡便に構成できて、設置が容易となり、また、汚れに対するメンテナンスを著しく軽減することができる。
【００１７】
そして、本考案に係るレベル安定装置では、前記エア管路に第２圧力スイッチが連結され、
該第２圧力スイッチは、
前記エアポンプ作動時における前記エア管路の先端開口の開口状態での前記エア管路の作動最小内圧値未満の時、ｂ接点からａ接点に切り替える自動復帰タイプの接点部を有した構成とするとともに、
ｂ接点での通電時、前記始動スイッチのオン操作による前記エアポンプの作動を維持させた状態として、前記リレーコイルへの通電を維持し、
ａ接点への切替時、前記始動スイッチのオン操作による前記エアポンプの作動を維持させた状態として、前記リレーコイルへの通電を遮断し、かつ、報知具を作動させるように、前記リレー回路に配設することが望ましい。
【００１８】
このような構成では、例えば、エア管路がエアモータのエア吐出口から外れたり、あるいは、エアポンプが故障して作動しない場合、エア管路の背圧は、エアポンプ作動時におけるエア管路の先端開口の開口状態でのエア管路の作動最小内圧値未満となる。その際、第２圧力スイッチが、接点部をｂ接点からａ接点に切り替えて、始動スイッチのオン操作によるエアポンプの作動を維持させた状態として、リレーコイルへの通電を遮断し、かつ、報知具を作動させる。
【００１９】
そのため、作業者は、報知具により、エアポンプの故障やエア管路のエアポンプからの抜け等の異常がわかり、修理等の対処を行える。また、リレー接点によって、充填機構の作動が停止されることから、不用意な貯留槽への流体の充填も防止される。
【００２０】
また、本考案に係るレベル安定装置では、エアポンプのエア吸引口にフィルタを配設することが望ましく、このような構成では、溶剤等のエアポンプの故障を招くような雰囲気下でも、吸引するエアに混入する溶剤等の異物の除去が可能となって、エアポンプの耐久性を向上させることができる。
【００２１】
さらに、本考案に係るレベル安定装置では、前記貯留槽に対する前記流体の充填量を過大とする所定時間以上の前記リレーコイルへの通電を防止可能に、前記始動スイッチのオン操作による前記エアポンプの作動を維持させた状態として、前記リレーコイルへの通電を遮断し、かつ、報知具を作動させるように、タイマと該タイマのリレー接点とを、前記リレー回路に配設することが望ましい。
【００２２】
このような構成では、所定時間以上のリレーコイルへの通電を防止できて、貯留槽から流体が溢れるような充填機構の作動による流体の貯留槽への充填過多を防止できる。そして、作業者は、報知具の作動により、レベル安定装置の不具合に対処して、部品交換や修理等をすることができる。
【図面の簡単な説明】
【００２３】
【図１】本考案における実施形態のレベル安定装置の使用状態を示す概略図である。
【図２】実施形態のレベル安定装置のリレー回路を説明する概略図である。
【図３】実施形態の作動時における圧力スイッチの接点部がｂ接点として通電している状態を示す。
【図４】実施形態の作動時における圧力スイッチの接点部がａ接点に切り替えられた状態を示す。
【図５】実施形態における第２圧力スイッチの接点部がａ接点に切り替えられた状態を示す。
【図６】実施形態のリレー回路に、所定時間以上の充填機構の作動を防止するためのタイマとそのリレー接点とを設けた状態を示す。
【考案を実施するための形態】
【００２４】
以下、本考案の一実施形態を図面に基づいて説明すると、図１，２に示すように、実施形態のレベル安定装置２０は、水洗式塗装ブースの貯留槽１に貯留された流体としての水２の減少時に、水２を貯留槽１に充填するための充填機構１０を作動可能として、貯留槽１内での水２のレベル（高さ）Ｈを安定させるものである。
【００２５】
そして、実施形態のレベル安定装置２０は、ケース２１内に装置本体２２を収納して構成され、装置本体２２は、エアポンプ２５、エア管路３０の元部３０ａ側、第１の圧力スイッチとしての第１圧力スイッチ３７、第２圧力スイッチ４０、及び、リレー回路４５、を備えて構成されている。
【００２６】
エアポンプ２５は、作動時に、エア吸引口２５ａから吸引したエアＡをエア吐出口２５ｂから吐出する構成として、実施形態の場合、エア吸引口２５ａには、空気中に飛散している溶剤を除去可能な活性炭を混入させたフィルタ２８が装着されている。
【００２７】
エア管路３０は、エアポンプ２５のエア吐出口２５ｂと接続されて、先端開口３４を、装置本体２２から離して、貯留槽１に貯留される水２の管理するレベルＨに配置させる。実施形態の場合、エア吐出口２５ｂに接続される元部３０ａは、可撓性を有したウレタンやシリコン等からなる可撓管部３１から構成され、先端側に継手３２を介在させて、剛性を有したステンレスや合成樹脂等からなるＸφ程度の剛性管部３３が連結され、剛性管部３３の先端の先端開口３４が、貯留槽１の水２の液面３側に配置されることとなる。
【００２８】
第１圧力スイッチ３７と第２圧力スイッチ４０とは、エア管路３０の元部３０ａ側の可撓管部３１に連結されている。
【００２９】
そして、第１圧力スイッチ３７は、ダイヤフラムとマイクロスイッチとを組み合わせて構成され、エア管路３０内の背圧が、エアポンプ２５の作動時における先端開口３４を水２によって塞がれたとした所定圧力値以上のとき、図３，４に示すように、ｂ接点３８ｂからａ接点３８ａに切り替える自動復帰タイプの接点部３８を有して構成されている。第１圧力スイッチ３７は、ａ接点３８ａの切替時の圧力値を調整可能としており、実施形態の場合、切替時の圧力値を２００Ｐａとしている。
【００３０】
また、第２圧力スイッチ４０も、第１圧力スイッチ３７と同様に、ダイヤフラムとマイクロスイッチとを組み合わせて構成されている。但し、第２圧力スイッチ４０は、エアポンプ２５の作動時におけるエア管路３０の先端開口３４の開口状態でのエア管路３０の作動最小内圧値未満の時、図３，５に示すように、ｂ接点４１ｂからａ接点４１ａに切り替える自動復帰タイプの接点部４１を有して構成されている。第２圧力スイッチ４０は、ａ接点４１ａの切替時の圧力値を調整可能としており、実施形態の場合、切替時の圧力値を２０Ｐａとしている。
【００３１】
なお、第１圧力スイッチ３７と第２圧力スイッチ４０との接点切替時の圧力値は、エア管路３０の長さや流体の粘性等が変われば、変動することから、予め、トライアンドエラーで調整することが望ましい。
【００３２】
リレー回路４５は、図１，２に示すように、エアポンプ２５を作動させるための外部電源のコンセント１７に接続される電源コード４６に連なって、電源コード４６からの電流をエアポンプ２５に通電可能な始動スイッチ４７、第１圧力スイッチ３７の接点部３８、第２圧力スイッチ４０の接点部４１、及び、リレーコイル４８、を設けて構成されている。
【００３３】
電源コード４６は、ケース２１から延ばして、先端に、外部電源のコンセント１７に接続可能なプラグ４６ａを備えている。
【００３４】
リレーコイル４８のリレー接点４９は、充填機構１０の貯水タンク１１の水２を、充填管路１３を経て、貯留槽１に充填する際、充填管路１３に配置される電磁弁１２の電磁コイル１２ａをオンオフ操作する作動スイッチ１４として構成されている。
【００３５】
また、リレー回路４５は、図３に示すように、第１圧力スイッチ３７の接点部３８における所定圧力値未満のｂ接点３８ｂでの通電時には、始動スイッチ４７のオン操作によるエアポンプ２５の作動を維持させた状態として、リレーコイル４８への通電を維持する。さらに、リレー回路４５は、図４の示すように、第１圧力スイッチ３７の接点部３８における所定圧力値以上のａ接点３８ａへの切替時、始動スイッチ４７のオン操作によるエアポンプ２５の作動を維持させた状態として、リレーコイル４８への通電を遮断する構成としている。
【００３６】
ちなみに、リレー回路４５では、リレーコイル４８の通電時には、図３に示すように、リレー接点４９としての作動スイッチ１４がオンされて、充填機構１０の電磁弁１２が開弁するように作動され、リレーコイル４８への通電が遮断された際には、図４に示すように、リレー接点４９としての作動スイッチ１４がオフされて、充填機構１０の電磁弁１２が閉弁するように作動される。
【００３７】
なお、リレー回路４５には、作動確認ランプ５０が配設されており、リレーコイル４８への通電時には、作動確認ランプ５０も点灯し、リレーコイル４８への通電が遮断される際には、作動確認ランプ５０は消灯することとなる。
【００３８】
また、リレー回路４５は、図３に示すように、第２圧力スイッチ４０の接点部４１におけるｂ接点４１ｂでの通電時、始動スイッチ４７のオン操作によるエアポンプ２５の作動を維持させた状態として、リレーコイル４８への通電を維持する。しかし、図５に示すように、第２圧力スイッチ４０の接点部４１におけるａ接点４１ａへの切替時、始動スイッチ４７のオン操作によるエアポンプ２５の作動を維持させた状態として、リレーコイル４８への通電を遮断し、かつ、報知具として圧力異常ランプ５２を点灯させるように作動する。
【００３９】
実施形態のレベル安定装置２０の使用時には、まず、エア管路３０の先端開口３４を、装置本体２２から離して、貯留槽１に貯留される水２の管理するレベルＨに、配置させ、また、電源コード４６のプラグ４６ａを所定の外部電源のコンセント１７に差し込み、さらに、リレー接点４９を、充填機構１０の作動スイッチ１４とするように、配設する。そして、図３に示すように、始動スイッチ４７をオン操作する。すると、エアポンプ２５が、エア吸引口２５ａから吸込んだエアＡを、エア吐出口２５ｂから吐出して、エア管路３０に供給する。
【００４０】
そして、貯留槽１内の水２が、所定のレベルＨに到達していなければ、エア管路３０の先端開口３４が大気中に開放されて、エア管路３０内の背圧が所定値未満であるため、第１圧力スイッチ３７の接点部３８がｂ接点３８ｂの通電状態となって、始動スイッチ４７のオン操作によるエアポンプ２５の作動を維持させた状態として、リレーコイル４８への通電を維持する。そのため、リレーコイル４８のリレー接点４９により、充填機構１０の作動スイッチ１４がオンされて、電磁弁１２が開弁し、貯水タンク１１からの水２が充填管路１３を経て貯留槽１内へ充填される。
【００４１】
その後、貯留槽１内の水２が所定のレベルＨとなれば、エア管路３０の先端開口３４が水２に塞がれ、エア管路３０内の背圧が所定圧力値以上となるため、図４に示すように、第１圧力スイッチ３７の接点部３８がａ接点３８ａに切り替えられ、始動スイッチ４７のオン操作によるエアポンプ２５の作動を維持させた状態として、リレーコイル４８への通電を遮断し、リレー接点４９、すなわち、貯留槽１へ水２を充填する充填機構１０の作動スイッチ１４がオフされて、電磁弁１２が閉弁され、貯留槽１内への水２の充填が停止される。なお、エア管路３０の先端開口３４が水２の液面３下に配置されても、先端開口３４からエアＡが吐出し続けることから、先端開口３４内に塗料の混ざった汚水が浸入せず、それらの固形物が先端開口３４内に付着して堆積することは、防止される。
【００４２】
そしてその後、貯留槽１内の水２が消費されて、貯留槽１内の水２が所定のレベルＨ以下となれば、エア管路３０の先端開口３４が大気に開放されて、エア管路３０内の背圧が所定値未満となることから、第１圧力スイッチ３７の接点部３８が、図４，３に示すように、ａ接点３８ａからｂ接点３８ｂに復帰し、エアポンプ２５の作動を維持させた状態として、リレーコイル４８への通電を開始し、貯留槽１へ水２を充填する充填機構１０の作動スイッチ１４がオンされ、貯留槽１内へ水２が所定のレベルＨまで充填され、その際、第１圧力スイッチ３７の接点部３８の切替により、充填機構１０の作動スイッチ１４がオフされる。
【００４３】
実施形態のレベル安定装置２０では、以上のように、エア管路３０の背圧に応じた第１圧力スイッチ３７の接点部３８の切替や復帰により、貯留槽１内の水２を所定のレベルＨに維持することができる。ちなみに、実施形態の場合、レベルＨの管理は、５ｍｍ程度の変動範囲内で、安定して管理することができる。
【００４４】
そして、実施形態のレベル安定装置２０では、作動スイッチ１４をオンすれば、エアポンプ２５が作動し続けることから（換言すれば、エア管路３０の先端開口３４から掃気エア若しくはパージエアが吐出し続けることから）、不用意に水２がエア管路３０内に流入せず、水２に含まれた不純物の固化した堆積物によるエア管路３０の先端開口３４の閉塞を防止できるため、メンテナンスが容易となる。
【００４５】
また、実施形態のレベル安定装置２０では、エア管路３０の背圧の変化の検出に、接点を切り替える自動復帰タイプの第１圧力スイッチ３７を利用しており、このような圧力スイッチはリレー回路４５に組み込み易く、充填機構１０の作動・停止を含めた貯留槽１内の水２のレベル管理を、簡便に行うことができる。
【００４６】
さらに、実施形態のレベル安定装置２０では、エア管路３０へのエアＡの供給に、外部電源からの電流によって作動するエアポンプ２５を利用しており、別途、工場エアを利用するものでない。そして、実施形態では、エアポンプ２５や圧力スイッチ３７，４０、あるいは、電源コード４６に連なる始動スイッチ４７や圧力スイッチ３７，４０の接点部３８，４１を組み込んだリレー回路４５を、ケース２１に配設するだけで、装置本体２２を構成できて、持ち運びに便利となる。さらに、このように構成されたレベル安定装置２０では、水２のレベルＨを管理する貯留槽１側に、エア管路３０の先端開口３４だけを延ばして設置し、また、リレー接点４９を所定の充填機構１０の作動用配線に接続させるだけで、装置本体２２を貯留槽１や充填機構１０から離した外部電源のコンセント１７近傍に配置するだけで、容易に、設置することができ、耐火区域での設置も容易となる。
【００４７】
したがって、実施形態のレベル安定装置２０では、簡便に構成できて、設置が容易となり、また、汚れに対するメンテナンスを著しく軽減することができる。
【００４８】
なお、実施形態では、充填機構１０の作動時、電磁弁１２を開弁するように構成したが、充填機構の作動スイッチのオン操作により作動されるものとしては、電磁弁の他、図２の括弧書きに示すように、注水ポンプを作動させるモータＭ等に、適宜、変更してもよい。また、充填機構１０の電源も、電磁弁１２の電磁コイル１２ａのオンオフ程度であれば、装置本体２２のエアポンプ２５側の電源と共用してもよい。
【００４９】
そして、実施形態のレベル安定装置２０では、エア管路３０に第２圧力スイッチ４０が連結されている。この第２圧力スイッチ４０は、エアポンプ２５の作動時におけるエア管路３０の先端開口３４の開口状態でのエア管路３０の作動最小内圧値未満の時、図３，５に示すように、ｂ接点４１ｂからａ接点４１ａに切り替える自動復帰タイプの接点部４１を有している。
【００５０】
そのため、例えば、エア管路３０がエアポンプ２５のエア吐出口２５ｂから外れたり、あるいは、エアポンプ２５が故障して作動しない場合、エア管路３０の背圧は、エアポンプ２５の作動時におけるエア管路３０の先端開口３４の開口状態でのエア管路３０の作動最小内圧値未満となる。その際、第２圧力スイッチ４０が、図３，５に示すように、接点部４１をｂ接点４１ｂからａ接点４１ａに切り替えて、始動スイッチ４７のオン操作によるエアポンプ２５の作動を維持させた状態として、リレーコイル４８への通電を遮断し、かつ、報知具としての圧力異常ランプ５２を点灯させる。
【００５１】
そのため、作業者は、圧力異常ランプ５２の点灯により、エアポンプ２５の故障やエア管路３０のエアポンプ２５からの抜け等の異常がわかり、修理等の対処を行える。また、リレー接点４９によって、充填機構１０の作動が停止されることから、不用意な貯留槽１への水２の充填も防止される。
【００５２】
なお、報知具としては、ランプ５２の点灯の他、ブザーやサイレン等のアラーム音によって報知する報知具を単独、あるいは、ランプ５２と併用してもよい。
【００５３】
また、実施形態のレベル安定装置２０では、エアポンプ２５のエア吸引口２５ａにフィルタ２８が配設されていることから、溶剤等のエアポンプ２５の故障を招くような雰囲気下でも、吸引するエアＡに混入する溶剤等の異物の除去が可能となって、エアポンプ２５の耐久性を向上させることができる。
【００５４】
さらに、実施形態のレベル安定装置２０のリレー回路４５において、図６に示すように、タイマ５４とそのリレー接点５５とを配設させてもよい。これらのタイマ５４とリレー接点５５とは、貯留槽１に対する水２の充填量を過大とする所定時間以上のリレーコイル４８への通電を防止可能とするもので、貯留槽１から水２が溢れることを防止する。実施形態の場合、タイマ５４は、制限時間を３０分として、その時間が経過すれば、始動スイッチ４７のオン操作によるエアポンプ２５の作動を維持させた状態として、リレーコイル４８への通電を遮断し、かつ、報知具としての作動確認ランプ５０を消灯させる。
【００５５】
そのため、このような構成では、所定時間（図例では３０分）以上のリレーコイル４８への通電を防止できて、貯留槽１から水２が溢れるような充填機構１０の作動による貯留槽１への水２の充填過多を防止できる。そして、作業者は、作動確認ランプ５０の消灯により、レベル安定装置２０の不具合を検知できて、その不具合、例えば、第１圧力スイッチ３７の故障、あるいは、エア管路３０に開いた孔からのエアＡの漏れ等に対処して、部品交換や修理等をすることができる。
【００５６】
なお、この場合の報知具としては、作動確認ランプ５０を共用せずに、別のランプ、あるいは、ブザー、サイレン等を、単独、若しくは、併用して、使用してもよい。
【００５７】
また、実施形態では、水２の液面３を所定のレベルＨに制御する場合を示したが、レベルＨを一定にする流体としては、水等の液体に限らず、汚泥、スラグ等の粘度の高いものや、粉体や細かい粒体を含んだ流動体等の流体に対応でき、それらのレベルＨを一定に制御することも可能となる。
【符号の説明】
【００５８】
１…貯留槽、２…（流体）水、３…液面、１０…充填機構、１１…貯水タンク、１２…電磁弁、１３…充填管路、１４…作動スイッチ、１７…（外部電源）コンセント、
２０…レベル安定装置、２２…装置本体、２５…エアポンプ、２５ａ…エア吸引口、２５ｂ…エア吐出口、２８…フィルタ、３０…エア管路、３４…先端開口、
３７…（圧力スッチ）第１圧力スイッチ、３８…接点部、３８ａ…ａ接点、３８ｂ…ｂ接点、
４０…第２圧力スイッチ、４１…接点部、４１ａ…ａ接点、４１ｂ…ｂ接点、
４５…リレー回路、４６…電源コード、４７…始動スイッチ、４８…リレーコイル、４９…リレー接点、５０…（報知具）作動確認ランプ、５２…（報知具）圧力異常ランプ、５４…タイマ、５５…リレー接点、
Ａ…エア、Ｈ…レベル。
【図１】
0003179722.tif 000003
【図２】
0003179722.tif 000004
【図３】
0003179722.tif 000005
【図４】
0003179722.tif 000006
【図５】
0003179722.tif 000007
【図６】
0003179722.tif 000008